(57)【要約】【課題】任意の範囲をダビング可能とする。【解決手段】磁気テープ３を再生可能な記録再生装置Ａと、再生された記録データを記録媒体４に記録する記録再生装置Ｂと、設定されたダビング範囲の記録データをダビングするように両記録再生装置Ａ，Ｂを駆動制御する制御装置２とを備える。ダビング範囲をダビング時間に基づいて設定すると、ダビングを開始してからカウンタ８によりダビング時間を検出して、設定された時間になるとダビングを終了する。ダビング範囲を記録ファイルの個数に基づいて設定すると、磁気テープ３の記録ファイルに含まれるインデックス信号を検出回路７によって検出し、設定された個数に応じて記録ファイルをダビングする。【選択図】　図１
2004095120.tif 000002
【特許請求の範囲】
【請求項１】
記録媒体に記録された記録データを再生可能な再生装置と、入力された記録データを別の記録媒体に記録する記録装置と、一方の記録媒体から他方の記録媒体に記録データをダビングするために前記再生装置および記録装置を駆動制御する制御装置とを備え、該制御装置は、前記記録データにおけるダビング範囲を設定する設定手段と、前記再生装置から出力された前記ダビング範囲の記録データを前記記録装置に入力するダビング手段とを有することを特徴とするダビングシステム。
【請求項２】
記録媒体に記録された記録データを再生可能な再生装置と、入力された記録データを別の記録媒体に記録する記録装置と、一方の記録媒体から他方の記録媒体に記録データをダビングするために前記再生装置および記録装置を制御する制御装置とを備え、該制御装置は、ダビング時間を設定する設定手段と、設定された時間だけ前記再生装置から出力された記録データを前記記録装置に入力するダビング手段とを有することを特徴とするダビングシステム。
【請求項３】
複数の記録ファイルを記録した記録媒体を再生可能な再生装置と、入力された記録ファイルを別の記録媒体に記録する記録装置と、一方の記録媒体から他方の記録媒体に記録ファイルをダビングするために前記再生装置および記録装置を駆動制御する制御装置とを備え、該制御装置は、ダビングすべき前記記録ファイルの個数を設定する設定手段と、設定された個数に応じて前記再生装置から記録ファイルを出力して前記記録装置に入力するダビング手段とを有することを特徴とするダビングシステム。
【請求項４】
ダビング手段は、記録ファイルに含まれるインデックス信号を検出して記録ファイルの個数をカウントすることを特徴とする請求項３記載のダビングシステム。
【発明の詳細な説明】
【０００１】
【発明の属する技術分野】
本発明は、記録媒体から再生された記録データを別の記録媒体にダビングするダビングシステムに関する。
【０００２】
【従来の技術】
記録再生装置によってビデオテープ等の磁気テープに番組を録画すると、映像データが連続的に記録されて、１つの記録ファイルが作成され、磁気テープには複数の記録ファイルが順に並ぶ。記録ファイルには、映像データを記録したときの時刻情報が連続して記録されており、前後の記録ファイルにおいて、一連の時刻情報に非連続点が存在する。この非連続点を検出したとき、１つの記録ファイルの区切りであると判断できるので、時刻情報をモニタすることによって、磁気テープの頭出しを行える。
【０００３】
そして、時刻情報を利用して、記録元の磁気テープの記録ファイルを記録先の記録媒体にダビングすることが特許文献１に記載されている。すなわち、磁気テープを再生装置により再生して、モニタに表示し、所望の記録ファイルの映像になると、ダビングを開始するように録画開始キーを操作する。すると、磁気テープを巻き戻して、時刻情報の非連続点に基づいて再生中の記録ファイルの頭出しを行い、再生する。これに同期して、記録装置により記録先の記録媒体への記録が開始され、ダビングが行われる。録画終了キーを操作すると、時刻情報の非連続点が検出され、記録ファイルの終点位置に達した時点で記録が停止し、ダビングが終了する。
【０００４】
【特許文献１】
特開２０００−３５３３４９号公報
【０００５】
【発明が解決しようとする課題】
上記のように時刻情報を利用すれば、所望の記録ファイルの先頭位置から終点位置までをダビングできる。しかし、記録元の磁気テープに時刻情報が記録されていなければ、記録ファイルの頭出しができず、目視によってダビングの開始、終了を判断しなければならない。そのため、１つの記録ファイルを正確にダビングできないおそれがある。
【０００６】
また、磁気テープ中の１つの記録ファイルしかダビングできないので、複数の記録ファイルをダビングするには、複数回同じ操作を繰り返さなければならず、煩雑であり、操作性が悪い。しかも、任意の範囲をダビングできるようにするには、時刻情報の検出をキャンセルする必要があり、再生装置および記録装置の制御が複雑となる。
【０００７】
本発明は、上記に鑑み、時刻情報を利用することなく、任意のダビング範囲を容易にダビングできるダビングシステムを提供することを目的とする。
【０００８】
【課題を解決するための手段】
本発明による課題解決手段は、記録媒体に記録された記録データを再生可能な再生装置と、入力された記録データを別の記録媒体に記録する記録装置と、一方の記録媒体から他方の記録媒体に記録データをダビングするために前記再生装置および記録装置を駆動制御する制御装置とを備え、該制御装置は、前記記録データにおけるダビング範囲を設定する設定手段と、前記再生装置から出力された前記ダビング範囲の記録データを前記記録装置に入力するダビング手段とを有するものである。
【０００９】
これによって、所望のダビング範囲を設定すれば、順に並んだ記録データあるいは記録ファイルに対して、記録ファイルの一部の記録データ、１個あるいは複数の記録ファイル、全ての記録ファイルといったように任意の範囲の記録データをダビングすることができる。
【００１０】
具体的には、制御装置は、ダビング時間を設定する設定手段と、設定された時間だけ前記再生装置から出力された記録データを前記記録装置に入力するダビング手段とを有する。ダビング範囲は、設定されたダビング時間によって決定され、設定された時間だけ記録データがダビングされる。
【００１１】
あるいは、制御装置は、ダビングすべき前記記録ファイルの個数を設定する設定手段と、設定された個数に応じて前記再生装置から記録ファイルを出力して前記記録装置に入力するダビング手段とを有する。ダビング範囲は、設定された記録ファイルの個数に応じて決定される。これによって、所望の個数の記録ファイルをダビングできる。
【００１２】
ここで、ダビング手段は、記録ファイルに含まれるインデックス信号を検出して記録ファイルの個数をカウントする。インデックス信号は、記録ファイルの頭出しのために利用される信号であり、記録ファイルを作成するときに記録されるものである。
【００１３】
【発明の実施の形態】
本発明の一実施形態のダビングシステムを図１に示す。本ダビングシステムでは、２つの記録再生装置Ａ，Ｂと、入力装置１と、これらを駆動制御する制御装置２とから構成される。これらは筐体に内蔵されて、１つの記録再生機器とされる。一方の記録再生装置Ａでは、記録媒体として磁気テープ３が用いられ、磁気テープ３に対して記録、再生を行い、他方の記録再生装置Ｂでは、ハードディスク等のランダムアクセス可能な記録媒体４に対して記録、再生を行う。入力装置１は、筐体に設けられた操作パネルであり、リモコンからの信号を受信可能とされる。
【００１４】
制御装置２には、テレビ、モニタ等の表示装置５が接続されている。なお、表示装置５は、テレビ、モニタ等の外部機器に限らず、筐体に一体に設けてもよい。制御装置２は、マイコンからなる制御回路６を備え、地上波放送や衛星放送、あるいはケーブルネットワークからの受信信号に記録媒体の種別に応じた処理を施して、記録データとして各記録再生装置Ａ，Ｂに出力したり、いずれかの記録再生装置Ａ，Ｂが再生して出力した映像信号を表示装置５に出力する。記録データを連続的に並べて記録することにより記録ファイルが作成され、記録ファイルは順に並ぶように記録される。
【００１５】
ここで、各記録媒体に記録データを記録するとき、従来のような時刻情報は記録せず、コントロール信号を記録する。このコントロール信号のデューティ比を記録ファイルごとに可変することによってインデックス信号が生成される。インデックス信号は記録ファイルの先頭に記録されるので、時刻情報の代わりにインデックス信号を利用して、ＶＩＳＳ（Ｖｉｄｅｏ　Ｉｎｄｅｘ　　Ｓｅａｒｃｈ　　Ｓｙｓｔｅｍ）機能により記録ファイルの頭出しをできる。このインデックス信号を検出するための検出回路７が制御装置２に設けられている。
【００１６】
そして、制御装置２は、一方の記録再生装置Ａから他方の記録再生装置Ｂに記録ファイルをダビングする制御を行う。このとき、任意の範囲をダビング可能とするため、ダビング時間を設定する機能と、設定された時間だけ記録再生装置Ａ，Ｂをそれぞれ駆動する機能を有する。時間の監視は、制御装置２のカウンタ８による計時によって行う。
【００１７】
ダビング時間の設定は、一定時間単位で設定可能とされ、特定キーの操作により行う。図２に示すように、シンクロスタートができるダビングキーを１回操作するごとに１５分単位で増えていき、最長６時間まで設定できる。あるいは、時間を直接入力して、任意の時間を設定可能としてもよい。
【００１８】
ダビング時間を設定したときのダビングを図３に基づいて説明する。記録元は記録再生装置Ａの磁気テープ３、記録先は記録再生装置Ｂの記録媒体４とする。記録再生装置Ａにおいて再生中に、ダビングキーを押すと、ダビング時間１５分が表示装置５に表示される。さらにダビングキーを押すごとに３０分、４５分、１時間と増えていく。所望のダビング時間に達すると、決定キー等を押して、ダビング時間を確定することにより、ダビングが実行される。
【００１９】
まず、記録再生装置Ａは、再生を一時停止して待機状態となり、記録再生装置Ｂは記録を開始する。すぐに、記録再生装置Ａは、一時停止を解除して再生を開始する。カウンタが時間を計時して、ダビング時間が監視される。設定されたダビング時間になったとき、記録再生装置Ｂは記録を停止し、すぐに記録再生装置Ａも再生を停止して、ダビングが終了する。
【００２０】
このように、所望のダビング時間を設定することにより、再生中の記録ファイルの適宜の位置から任意の範囲をダビングすることができる。したがって、記録ファイルから必要とする部分だけを他の記録媒体にダビングすることができ、ダイジェスト版のような特別な記録ファイルを容易に作成でき、記録再生機器の機能アップを図れる。
【００２１】
また、記録ファイルを単位として、ダビング範囲を設定することにより、任意の範囲をダビング可能なものとする。そのため、制御装置２は、ダビングする記録ファイルの個数を設定する機能と、設定された個数に応じて記録再生装置Ａ，Ｂをそれぞれ駆動する機能を有する。記録ファイルの個数は、記録ファイルに含まれるインデックス信号を検出することにより、カウントされる。すなわち、設定される記録ファイルの個数とは、検出すべきインデックス信号の個数である。
【００２２】
記録ファイル単位でのダビングを図４に基づいて説明する。記録元は記録再生装置Ａの磁気テープ３、記録先は記録再生装置Ｂの記録媒体４とする。記録再生装置Ｂにおいて再生中に、ダビングキーを押すと、ダビングが開始する。ここで、インデックスキーを押すと、個数入力画面が表示装置５に表示される。１０キーあるいはＵＰ／ＤＯＷＮキーで所望の個数を設定し、決定キー等を押して、ダビング範囲を確定すると、ダビングが実行される。
【００２３】
まず、記録再生装置Ａは、再生を一時停止して待機状態となり、記録再生装置Ｂは記録を開始する。すぐに、記録再生装置Ａは、一時停止を解除して再生を開始する。このとき、記録再生装置Ａから出力される映像信号（ＳＤ信号）を検出して、無記録部分があるか監視する。映像信号がない期間が一定時間、例えば１０秒続くか否かによって、記録ファイルの存在の有無を判断する。映像信号があるとき、検出回路７によってインデックス信号を検出すると、カウント数を１つ減らし、ダビングを続ける。設定された個数のインデックス信号が検出されると、カウント数が０となり、記録再生装置Ｂは記録を停止し、すぐに記録再生装置Ａも再生を停止して、ダビングが終了する。
【００２４】
なお、前後の記録ファイルの間隔が一定時間以上あるとき、映像信号のない無記録時間が一定時間以上続く。この場合、設定された個数のインデックス信号をカウントしていないとき、次の記録ファイルが再生されて、インデックス信号を検出できるまで、ダビングは継続される。また、ダビング中に、最後の記録ファイルを再生している場合、映像信号はあるが、次のインデックス信号を検出できない。最後まで再生し終わると、無記録部分が続くことになり、設定された個数の記録ファイルをダビングできていなくても、ダビングを終了する。
【００２５】
このように、所望の個数の記録ファイルのダビングを設定することにより、再生中の記録ファイルから任意の範囲をダビングすることができる。したがって、記録ファイルから必要とする記録ファイルだけを他の記録媒体にダビングすることができる。これを利用すれば、記録ファイルを整理するときに役立ち、効率よく行える。
【００２６】
また、上記の２つのダビングを行うに際して、ダビング時間の入力や設定個数の入力には、既存のキーを利用でき、新たなキーを設ける必要がない。しかも、複雑な操作をしなくてもよく、ダビング操作の効率がよくなる。
【００２７】
ところで、記録ファイルの個数を設定してダビングするとき、設定個数の±に応じて、ダビングを開始したときの記録ファイルを基準にして、後の記録ファイルをダビングする場合と、前の記録ファイルをダビングする場合がある。
【００２８】
前者の場合、設定した個数のインデックス信号を検出したときの記録ファイルに対する処理方法によってダビング範囲が異なる。例えば、設定個数を＋３とし、ダビング開始時の再生の現在位置が２番目の記録ファイルの途中であるとするとき、それぞれのダビング範囲は以下のようになる。
【００２９】
図５（ａ）に示すように、現在位置からダビングを開始し、３個目のインデックス信号を検出する。このインデックス信号は５番目の記録ファイルに含まれる。５番目の記録ファイルの最後までダビングし、６番目の記録ファイルのインデックス信号を検出すると、４個目であるので、ダビングを終了する。この場合、ダビング範囲は、２番目の記録ファイルの途中から最後までの部分および３番目から５番目までの記録ファイルとなる。
【００３０】
図５（ｂ）に示すように、現在位置からダビングを開始し、３個目のインデックス信号を検出すると、ダビングを終了する。この場合、ダビング範囲は、２番目の記録ファイルの途中から最後までの部分および３、４番目の記録ファイルとなる。
【００３１】
図５（ｃ）に示すように、現在位置からインデックスサーチを行い、３番目の記録ファイルのインデックス信号を検出すると、ダビングを開始する。３個目のインデックス信号を検出すると、このインデックス信号を含む５番目の記録ファイルの最後までダビングし、６番目の記録ファイルのインデックス信号を検出すると、ダビングを終了する。この場合、ダビング範囲は、３番目から５番目までの記録ファイルとなる。
【００３２】
図５（ｄ）に示すように、現在位置からインデックスサーチを行い、３番目の記録ファイルのインデックス信号を検出すると、ダビングを開始する。３個目のインデックス信号を検出すると、ダビングを終了する。この場合、ダビング範囲は、３、４番目の記録ファイルとなる。
【００３３】
以上の通り、ダビング範囲の設定には４パターンあるが、実際の制御では、いずれか１つのパターンが選ばれる。
【００３４】
後者の場合、例えば、設定個数を−３とし、ダビング開始時の再生の現在位置が６番目の記録ファイルの途中であるとする。図６に示すように、現在位置より前において３個のインデックス信号を検出するまで戻ると、４番目の記録ファイルとなる。ここからダビングを開始し、３個目のインデックス信号を含む６番目の記録ファイルの最後までダビングすると、終了する。この場合、ダビング範囲は、４番目から６番目までの記録ファイルとなる。また、現在位置より前において３個のインデックス信号を検出したとき、さらに１個前のインデックス信号を含む３番目の記録ファイルまで戻る。そして、３番目の記録ファイルからダビングを開始し、５番目の記録ファイルの最後までダビングしたら、終了するようにしてもよい。
【００３５】
なお、本発明は、上記実施形態に限定されるものではなく、本発明の範囲内で上記実施形態に多くの修正および変更を加え得ることは勿論である。記録媒体は、磁気テープ、ハードディスクに限らず、書き換え可能なＤＶＤ、ＣＤ、ＭＤ、半導体メモリであってもよい。そして、記録元の記録媒体と記録先の記録媒体との組み合わせは、上記実施形態のものに限らず、任意に組み合わせてよい。これらの記録媒体に記録する記録データは、音声信号を含む映像信号に限らず、映像信号のみ、音声信号のみ、文字信号であってもよい。ダビング範囲の設定として、時間、記録ファイルの個数以外に、データ量を指定してもよく、この場合の記録媒体としては、ランダムアクセス可能な記録媒体が適している。
【００３６】
また、本ダビングシステムは、２つの記録再生装置を一体化した記録再生機器に適用されるが、各記録再生装置を別体として、お互いをケーブルで接続した構成としてもよい。この場合、制御装置は、いずれか一方の記録再生装置に内蔵するか、両記録再生装置を接続するための中継装置に内蔵させる。
【００３７】
記録ファイルの個数に応じてダビングするときの個数の検出として、記録時に、記録ファイルの先頭あるいは最後に、スタート信号あるいはエンド信号を記録しておき、この信号に基づいて記録ファイルの個数をカウントするようにしてもよい。あるいは、記録ファイルに、他の記録ファイルと識別するための信号を付加してもよい。
【００３８】
【発明の効果】
以上の説明から明らかな通り、本発明によると、時間や記録ファイルの個数に基づいてダビング範囲を任意に設定することにより、簡単な操作によってダビングしたい部分だけを記録することができる。そして、磁気テープに時刻情報が記録されていなくても、インデックス信号を利用すれば、記録ファイルごとにダビングすることができ、磁気テープから記録ファイルをダビングする場合において、従来からの回路を利用して、ソフト的に安価にダビングシステムを実現できる。
【図面の簡単な説明】
【図１】本発明の一実施形態のダビングシステムの概略構成図
【図２】設定されるダビング時間の変化を示す図
【図３】設定されたダビング時間に基づくダビングを実行するときのフローチャート
【図４】設定された記録ファイルの個数に基づくダビングを実行するときのフローチャート
【図５】記録ファイルの個数に基づくダビング時のダビング範囲を示す図
【図６】記録ファイルの個数に基づくダビング時のダビング範囲を示す図
【符号の説明】
１　　ハードディスク
２　　受信部
３　　記録再生部
４　　入力部
５　　表示部
６　　制御部
【図１】
2004095120.tif 000003
【図２】
2004095120.tif 000004
【図３】
2004095120.tif 000005
【図４】
2004095120.tif 000006
【図５】
2004095120.tif 000007
【図６】
2004095120.tif 000008